(57)【要約】      （修正有）【課題】ラチェット手段により容易に且つ円滑に清掃体を絞り操作可能で、しかも歯止め部材やラチェットホイールが外部に露出することによる安全性の低下を防止可能な絞り機能付きモップ装置を提供する。【解決手段】ラチェット手段２０として、後退位置におけるスライド部材３に内嵌可能に、柄２に対して相対回転自在で且つ軸方向に移動不能に外嵌状に設けた中間スリーブ２３と、中間スリーブに内嵌されるように、柄に固定した歯止め部材２２と、柄に対して中間スリーブが一方向にのみ相対回転するように、歯止め部材の爪部２２ａに係合する、中間スリーブの内周面に形成した内歯車２３ｂと、スライド部材３の内周面に形成され、軸方向に延びる内面側嵌合部３ｅと、中間スリーブの外周面に形成され、内面側嵌合部に軸方向に移動自在で且つ相対回転不能に凹凸嵌合する外面側嵌合部２３ｃとを備えた。【選択図】図３
0003190298.tif 000002
【実用新案登録請求の範囲】
【請求項１】
細長い棒状の柄と、前記柄の先端側部分にスライド自在に外嵌したスライド部材と、前記柄の先端部に一端部を固定し、前記スライド部材に他端部を固定した清掃体と、前記スライド部材を柄の先端側部分における基端側の後退位置へ移動させた状態で、前記スライド部材を柄に対して一方向にのみ相対回転可能に連結するラチェット手段とを備え、前記スライド部材を後退位置へ移動させた状態で、前記スライド部材を柄に対して一方向へ相対回転させて、前記清掃体を柄の周囲に巻き付け、余剰の水分を絞り出し可能となした絞り機能付きモップ装置であって、
前記ラチェット手段は、
前記後退位置におけるスライド部材に内嵌可能に、前記柄に対して相対回転自在で且つ軸方向に移動不能に外嵌状に設けた中間スリーブと、
前記中間スリーブに内嵌されるように、前記柄に固定した歯止め部材と、
前記柄に対して中間スリーブが一方向にのみ相対回転するように、前記歯止め部材の爪部に係合する、前記中間スリーブの内周面に形成した内歯車と、
前記スライド部材の内周面に形成した、軸方向に延びる内面側嵌合部と、
前記中間スリーブの外周面に形成した、前記内面側嵌合部に軸方向に移動自在で且つ相対回転不能に凹凸嵌合する外面側嵌合部と、
を備えた、
ことを特徴とする絞り機能付きモップ装置。
【請求項２】
前記外面側嵌合部の軸方向の両端部を面取りしてテーパ面を形成した請求項１記載の絞り機能付きモップ装置。
【請求項３】
前記内面側嵌合部としてスプライン孔を形成し、外面側嵌合部としてスプライン軸を形成し、前記スプライン軸部に形成されるスプライン凸条の横断面を外周縁の頂部を丸めた三角形状又は外周縁の両端角部を丸めた台形状又は半円状に形成した請求項１又は２記載の絞り機能付きモップ装置。
【請求項４】
前記スライド部材に一方の手で保持可能な可動グリップ部を形成するとともに、前記柄の途中部に他方の手で保持可能な固定グリップ部を形成した請求項１〜３のいずれか１項記載の絞り機能付きモップ装置。
【請求項５】
前記スライド部材の基端部の内周面に内面側保持部を形成し、前記固定グリップ部の先端部の外周面に、内面側保持部に凹凸嵌合する外面側保持部を形成し、前記外面側保持部と内面側保持部との凹凸嵌合により、前記清掃体を柄に沿った収納姿勢に保持可能となした請求項４記載の絞り機能付きモップ装置。
【考案の詳細な説明】
【技術分野】
【０００１】
本考案は、手を汚すことなく清掃体を絞って、該清掃体に含まれる余分な水分を除去可能な絞り機能付きモップ装置に関する。
【背景技術】
【０００２】
絞り機能付きモップ装置として、細長い棒状の柄と、前記柄の先端側部分にスライド自在に外嵌したスライド部材と、前記柄の先端部に一端部を固定し、前記スライド部材に他端部を固定した清掃体と、前記スライド部材を柄の先端側部分における基端側の後退位置へ移動させた状態で、前記スライド部材を柄に対して一方向にのみ相対回転可能に連結するラチェット手段とを備え、前記スライド部材を後退位置へ移動させた状態で、前記スライド部材を柄に対して一方向へ相対回転させて、前記清掃体を柄の周囲に巻き付け、余分な水分を絞り出し可能となした絞り機能付きモップ装置が提案されている（例えば、特許文献１参照。）。
【０００３】
この特許文献１記載のモップ装置では、清掃体を絞り操作しているときにおいて、絞り方向とは逆方向へのスライド部材の回転がラチェット手段により規制され、清掃体を絞り操作している途中でグリップ部分から手を放しても、スライド部材が逆転しないので、清掃体の絞り操作途中でグリップ部分を持ち直すことが可能となり、清掃体を操作し易い姿勢で効率的に絞ることができるというメリットを有している。
【先行技術文献】
【特許文献】
【０００４】
【特許文献１】実用新案登録第３１４８２４５号公報
【考案の概要】
【考案が解決しようとする課題】
【０００５】
ところが、特許文献１記載のモップ装置では、スライド部材の基端部にラチェット手段のラチェットホイールが設けられ、モップ装置の使用時には、該ラチェットホイールが外部に露出する。しかし、ラチェットホイールには歯止め部材の爪部に係合する先鋭な歯が形成されている関係上、清掃時にラチェットホイールを手で保持してしまって、手指を傷つけるという不具合の発生が懸念される。特に、清掃体の絞り操作後、スライド部材を先端側へ移動させて、ラチェットホイールの歯と歯止め部材の爪部との係合を解除するときには、清掃体が強く柄に巻き付いて、スライド部材の先端側への操作抵抗が大きくなっていることから、大きな力を作用させてスライド部材を移動させる必要があり、勢い余って手指がラチェットホイールに触れてしまい、手指を切ってしまうことが懸念される。
【０００６】
本考案の目的は、ラチェット手段により容易に且つ円滑に清掃体を絞り操作可能で、しかも歯止め部材やラチェットホイールが外部に露出することによる安全性の低下を防止可能な絞り機能付きモップ装置を提供することである。
【課題を解決するための手段】
【０００７】
本考案に係る絞り機能付きモップ装置は、細長い棒状の柄と、前記柄の先端側部分にスライド自在に外嵌したスライド部材と、前記柄の先端部に一端部を固定し、前記スライド部材に他端部を固定した清掃体と、前記スライド部材を柄の先端側部分における基端側の後退位置へ移動させた状態で、前記スライド部材を柄に対して一方向にのみ相対回転可能に連結するラチェット手段とを備え、前記スライド部材を後退位置へ移動させた状態で、前記スライド部材を柄に対して一方向へ相対回転させて、前記清掃体を柄の周囲に巻き付け、余分な水分を絞り出し可能となした絞り機能付きモップ装置であって、前記ラチェット手段は、前記後退位置におけるスライド部材に内嵌可能に、前記柄に対して相対回転自在で且つ軸方向に移動不能に外嵌状に設けた中間スリーブと、前記中間スリーブに内嵌されるように、前記柄に固定した歯止め部材と、前記柄に対して中間スリーブが一方向にのみ相対回転するように、前記歯止め部材の爪部に係合する、前記中間スリーブの内周面に形成した内歯車と、前記スライド部材の内周面に形成した、軸方向に延びる内面側嵌合部と、前記中間スリーブの外周面に形成した、前記内面側嵌合部に軸方向に移動自在で且つ相対回転不能に凹凸嵌合する外面側嵌合部とを備えたものである。
【０００８】
このモップ装置を用いて床等を清掃する際には、先ずスライド部材を柄の先端側へ移動させて、清掃体に水を含ませる。次に、余分な水分を絞るため、スライド部材を後退位置へ移動させて、スライド部材を中間スリーブに外嵌させた状態で、スライド部材と柄とを相対的に一方向へ回転させて、清掃体を柄に巻き付け、清掃体を絞って余分な水分を除去することになる。こうして清掃体を絞ってから、スライド部材を柄の先端側へ移動させ、清掃体を弛ませるとともに、スライド部材を逆転させて、清掃体の捩じれを無くしてから、清掃体により床等を清掃することになる。また、汚れた清掃体は、水洗いしてから、前述と同様に、スライド部材を後退位置へ移動させて、余分な水分を絞ることになる。
【０００９】
ところで、清掃体を絞るため、スライド部材を後退位置へ移動させると、スライド部材の内周面の内面側嵌合部が、中間スリーブの外面側嵌合部に凹凸嵌合し、スライド部材の回転力が中間スリーブに伝達されることになり、また柄に固定した歯止め部材の爪部が中間スリーブの内周面に形成した内歯車に係合して、柄とスライド部材の相対的な一方向への相対回転は許容されるが、逆方向への相対回転が規制されるので、柄とスライド部材とを一方向へ回転操作して、清掃体を柄に巻き付けることができ、またこの状態で手を放しても歯止め部材が内歯車に係合して、逆方向への相対回転が規制されることになる。
【００１０】
このため、このモップ装置では、把持し易い姿勢にスライド部材及び／又は柄を持ち直して、清掃体を順次絞ることが可能となり、容易に且つ円滑に清掃体を絞り操作できることになる。また、中間スリーブの内周面に内歯車が形成され、中間スリーブの内側に内歯車に係合する爪部を有する歯止め部材が設けられ、内歯車及び歯止め部材が外部に露出しないので、内歯車や歯止め部材に手指が接触して、手指が傷つけられることを確実に防止できる。更に、スライド部材を柄の先端側へ移動させた状態で、中間スリーブに形成される外面側嵌合部は外部に露出されるが、この外面側嵌合部は、内面側嵌合部との凹凸嵌合により回転力を伝達できるものであれば、任意の構成のものを採用でき、ラチェットホイールのように鋭角状の爪部を形成する必要がないので、万一、手で保持した場合でも、手指を傷つけないような構成を採用することが可能となる。
【００１１】
ここで、前記外面側嵌合部の軸方向の両端部を面取りしてテーパ面を形成することも好ましい実施の形態である。外面側嵌合部は、スライド部材を柄の先端側へ移動させたときに、外部に露出する部分なので、軸方向の両端部にテーパ面を形成して、万一、手指が接触した場合でも、手指を傷つけないように構成することが好ましい。特に、清掃体を絞った後、スライド部材を柄の先端側へ移動させるときに、柄に巻き付いた清掃体により、外面側嵌合部と内面側嵌合部とが強く係合して、スライド部材の先端側への操作抵抗が大きくなり、勢い余って手指が外面側嵌合部の軸方向の端部に接触することも考えられるので、そのような場合でも手指が傷つけられないように、外面側嵌合部の軸方向の端部にテーパ面を形成することが好ましい。
【００１２】
前記内面側嵌合部としてスプライン孔を形成し、外面側嵌合部としてスプライン軸を形成し、前記スプライン軸部に形成されるスプライン凸条の横断面を外周縁の頂部を丸めた三角形状又は外周縁の両端角部を丸めた台形状又は半円状に形成することも好ましい実施の形態である。このような横断面形状にスプライン凸条を形成することで、清掃時等において、外面側嵌合部を手で把持してしまったり、外面側嵌合部に手指が触れたりした場合でも、手指を傷つけないので好ましい。
【００１３】
前記スライド部材に一方の手で保持可能な可動グリップ部を形成するとともに、前記柄の途中部に他方の手で保持可能な固定グリップ部を形成することも好ましい実施の形態である。このようにグリップ部を形成することで、清掃体を絞るときの操作性を十分に確保できる。
【００１４】
また、前述のようにグリップ部を形成する場合には、前記スライド部材の基端部の内周面に内面側保持部を形成し、前記固定グリップ部の先端部の外周面に、内面側保持部に凹凸嵌合する外面側保持部を形成し、前記外面側保持部と内面側保持部との凹凸嵌合により、前記清掃体を柄に沿った収納姿勢に保持可能となすことが好ましい実施の形態である。この場合には、外面側保持部を内面側保持部に凹凸嵌合させて、清掃体を柄に沿った綺麗な収納姿勢に保持した状態で、モップ装置を収納できる。また、柄に沿った収納姿勢において清掃体は、その全体が外気に触れやすくなり、乾きやすくなるので好ましい。
【考案の効果】
【００１５】
本考案に係る絞り機能付きモップ装置によれば、把持し易い姿勢にスライド部材及び／又は柄を持ち直して、清掃体を順次絞ることが可能となり、容易に且つ円滑に清掃体を絞り操作できることになる。また、中間スリーブの内周面に内歯車が形成され、中間スリーブの内側に内歯車に係合する爪部を有する歯止め部材が設けられ、内歯車及び歯止め部材が外部に露出しないので、内歯車や歯止め部材に手指が接触して、手指が傷つけられることを確実に防止できる。更に、スライド部材を柄の先端側へ移動させた状態で、中間スリーブに形成される外面側嵌合部は外部に露出されるが、この外面側嵌合部は、内面側嵌合部との凹凸嵌合により回転力を伝達できるものであれば、任意の構成のものを採用でき、ラチェットホイールのように鋭角状の爪部を形成する必要がないので、万一、手で保持した場合でも、手指を傷つけないような構成を採用することが可能となる。
【図面の簡単な説明】
【００１６】
【図１】絞り機能付きモップ装置の（ａ）は収納状態での正面図、（ｂ）は使用状態での正面図
【図２】絞り機能付きモップ装置の（ａ）は退避状態での正面図、（ｂ）は絞り状態での正面図
【図３】絞り機能付きモップ装置のラチェット手段付近の分解斜視図
【図４】図１（ａ）のIV-IV線断面図
【図５】図１（ａ）のV-V線断面図
【図６】図５のVI-VI線断面図
【図７】（ａ）は外面側嵌合部のスプライン部の要部横断面図、（ｂ）（ｃ）は他の構成の外面側嵌合部のスプライン部の要部横断面図
【考案を実施するための形態】
【００１７】
以下、本考案の実施の形態について図面を参照しながら説明する。
図１〜図３に示すように、絞り機能付きモップ装置１は、細長い棒状の柄２と、柄２の先端側部分に図１（ａ）に図示の収納位置と図１（ｂ）に図示の使用位置とにわたってスライド自在に外嵌したスライド部材３と、柄２の先端部に一端部を固定し、スライド部材３に他端部を固定した清掃体１０と、収納位置直前の図２（ａ）に図示の後退位置へスライド部材３を移動させた状態で、該スライド部材３を柄２に対して一方向にのみ相対回転可能に連結するラチェット手段２０とを備え、スライド部材３を後退位置へ移動させた状態で、図２（ｂ）に示すように、スライド部材３を柄２に対して矢印Ａで示す一方向へ相対回転させて、清掃体１０を柄２の周囲に巻き付け、余分な水分を絞り出し可能となしたものである。
【００１８】
柄２は、図１、図２に示すように、金属製や合成樹脂製の中空パイプで構成され、柄２の基端部には基端開口部を閉塞する有底円筒状の基端閉塞部材４が外嵌状に固定され、基端閉塞部材４には壁や柱等に固定したフックにモップ装置１を引っ掛けるための引っ掛け孔４ａが形成されている。柄２の基端近傍部には手で把持可能な円筒状の基端グリップ５が移動不能に外嵌固定され、基端グリップ５は基端閉塞部材４の先端側に略隙間なく連なって設けられている。
【００１９】
柄２の長さ方向の略中央部には手で把持可能な固定グリップ６が移動不能に外嵌固定され、固定グリップ６の周方向の２等分位置には固定グリップ６の長さ方向に延びる滑り止め部６ａが半径方向の外方側へ突出状に形成されている。
【００２０】
清掃体１０は、図１、図２、図４に示すように、吸水性に優れた細長い紐状部材１１を一定長さで必要回数だけ折り返してなるもので、両端の複数の折返部に結束線１２、１３をそれぞれ挿通して、該結束線１２、１３を環状に連結することで、両端部が結束線１２、１３でそれぞれ連結されて、柄２の先端側部分を取り囲むように筒状に展開可能に構成されている。なお、清掃体１０は、吸水性に優れた素材からなるものであれば、紐状以外の構成のものを採用することも可能で、例えば帯状部材などで構成することも可能である。
【００２１】
柄２に対する清掃体１０の取付構造について説明すると、図１〜図４に示すように、柄２の先端部には外周部に雄ネジ１４ａを形成した雄ネジ部材１４が基端側部分を内嵌させて固定されている。ただし、雄ネジ１４ａは、柄２の先端部に一体的に形成することも可能である。
【００２２】
雄ネジ部材１４には先端部材１５が筒部１５ａにおいて着脱自在に螺合固定され、先端部材１５には筒部１５ａの先端部から外方へ延びる部分球状の鍔部１５ｂが一体的に形成され、筒部１５ａの両側には１対の取付筒部１５ｃが一体的に形成されている。鍔部１５ｂの先端側には小判型の保持部材１６が設けられ、保持部材１６には、先端部材１５の１対の取付筒部１５ｃに内嵌固定される１対の連結ピン１６ａが設けられている。清掃体１０の先端部は、先端側の結束線１２を１対の連結ピン１６ａを取り囲むように外嵌させた状態で、該連結ピン１６ａを先端部材１５の取付筒部１５ｃに嵌合固定することで、先端部材１５と保持部材１６間に脱落不能に保持され、清掃体１０は先端部材１５と保持部材１６間の隙間を通って外部へ導出されている。保持部材１６には軟質素材からなるカバー部材１７が取付けられ、清掃時に硬質な保持部材１６が直接的に床等に接触しないように構成されている。
【００２３】
柄２の先端側部分には略円筒状のスライド部材３が固定グリップ６と先端部材１５間において移動自在に外嵌され、スライド部材３の基端側部分には手で把持可能な可動グリップ部３ａが形成され、スライド部材３の先端側部分には可動グリップ部３ａよりも大径の保持筒部３ｂが形成され、保持筒部３ｂの先端部には半径方向の外方側へ突出する抜け止め部３ｃが形成され、保持筒部３ｂの途中部には周方向に間隔をあけて複数の移動規制部３ｄが外方へ突出状に形成されている。
【００２４】
清掃体１０の基端部は、基端側の結束線１３をスライド部材３の抜け止め部３ｃと移動規制部３ｄ間において保持筒部３ｂに外嵌させることで、保持筒部３ｂに脱落しないように取付けられている。なお、柄２に対する清掃体１０の取付構造は、上述した以外の構造を採用することもできる。また、清掃体１０を交換する際には、清掃体１０を先端部材１５及び保持部材１６とともに柄２から取り外して交換することになる。
【００２５】
次に、スライド部材３を柄２に対して一方向にのみ相対回転可能に連結するためのラチェット手段２０について説明する。
【００２６】
図１、図３、図５、図６に示すように、固定グリップ６から先端側へ一定間隔をあけた柄２の位置には、柄２の基端側から順番に固定リング２１と略円筒状の歯止め部材２２とがリベット２４、２５により固定され、歯止め部材２２には円筒状の中間スリーブ２３が外装され、中間スリーブ２３の基端部には固定リング２１と歯止め部材２２間に延びる環状の規制部２３ａが内側へ突出状に形成され、中間スリーブ２３は柄２に対して軸方向に移動不能に保持されている。
【００２７】
歯止め部材２２の先端側部分と基端側部分とには周方向に間隔をあけて３つの爪部２２ａがそれぞれ形成され、中間スリーブ２３の内周面には爪部２２ａと係合可能な鋸歯状の内歯車２３ｂが形成され、中間スリーブ２３は、柄２に対して、軸方向に移動不能に保持されるとともに、爪部２２ａと内歯車２３ｂとの係合により、一方向にのみ相対回転可能で、逆方向には相対回転できないように取付けられている。なお、爪部２２ａは、歯止め部材２２の先端側部分と基端側部分に形成したが、歯止め部材２２の先端側部分又は基端側部分の１箇所にのみ形成することも可能であるし、歯止め部材２２の長さ方向に３箇所以上形成することも可能である。また、歯止め部材２２の周方向に対する爪部２２ａの個数も、３個以外の任意の個数に設定可能である。更に、歯止め部材２２を円筒状に形成したが、爪部２２ａを有するものであれば、任意の構成のものを採用できる。
【００２８】
スライド部材３の内周面には軸方向に延びる内面側嵌合部３ｅが形成され、中間スリーブ２３の外周面には内面側嵌合部３ｅに軸方向に移動自在で且つ相対回転不能に凹凸嵌合する外面側嵌合部２３ｃが形成されている。このため、スライド部材３は、柄２に対して固定グリップ６と先端部材１５間において移動自在に外嵌され、基端部側（固定グリップ６側）の後退位置へ移動させると、中間スリーブ２３に外嵌されて、内面側嵌合部３ｅと外面側嵌合部２３ｃとが凹凸嵌合し、ラチェット手段２０を介して柄２に対して一方向へのみ相対回転可能に接続され、先端部側（先端部材１５側）へ移動させると、中間スリーブ２３から離脱して、柄２に対して相対回転自在となるように構成されている。
【００２９】
内面側嵌合部３ｅと外面側嵌合部２３ｃとは、スライド部材３の回転力を中間スリーブ２３に伝達可能で、且つ、外面側嵌合部２３ｃとの接触により手指が容易には傷つかないものであれば任意の構成のものを採用できる。例えば内面側嵌合部３ｅとしてスプライン孔を形成し、外面側嵌合部２３ｃとしてスプライン軸部を形成し、該スプライン軸部に形成されるスプライン凸条として、図７（ａ）に示すスプライン凸条２３ｄのように、外周縁の頂部を丸めた三角形状の横断面や、図７（ｂ）に示すスプライン凸条２３ｄＡのように、外周縁の両端角部を丸めた台形状の横断面や、図７（ｃ）に示すスプライン凸条２３ｄＢのように、半円状の横断面のものを好適に採用できる。また、外面側嵌合部２３ｃの軸方向の両端部に、面取りによるテーパ面２３ｅを形成することも好ましい実施の形態である。
【００３０】
図５に示すように、スライド部材３の基端部の内周面には内側へ突出する内面側保持部３ｆが形成され、固定グリップ６部の先端部の外周面には、内面側保持部３ｆに凹凸嵌合する外面側保持部６ｂが形成され、スライド部材３を最基端の収納位置へ移動させると、外面側保持部６ｂと内面側保持部３ｆとが凹凸嵌合して、多少力を加えないとスライド部材３が柄２の先端側へ移動しないように構成されている。また、収納位置において、図１（ａ）に示すように、清掃体１０を構成する紐状部材１１が柄２に沿って整列された綺麗な姿勢に保持され、モップ装置１の収納時等における清掃体１０の外観を向上できるとともに、清掃体１０の乾燥を促進できるように構成されている。
【００３１】
このモップ装置１を用いて床等を清掃する際には、先ずスライド部材３を柄２の先端側へ移動させ、図１（ｂ）に示すように清掃体１０を弛ませた状態で、清掃体１０に水を含ませる。次に、余分な水分を絞るため、図２（ａ）に示すように、スライド部材３を後退位置へ移動させて、図５、図６に示すように、スライド部材３を中間スリーブ２３に外嵌させた状態で、例えばスライド部材３を図２（ｂ）に矢印Ａで示す方向へ回転させて、スライド部材３と柄２とを相対的に一方向へ回転させ、清掃体１０を柄２に巻き付け、清掃体１０を絞って余分な水分を除去することになる。こうして清掃体１０を絞ってから、図１（ｂ）に示すように、スライド部材３を柄２の先端側へ移動させ、清掃体１０を弛ませるとともに、スライド部材３を逆転させて、清掃体１０の捩じれを無くしてから、基端グリップ５と固定グリップ６とを手で保持しながらモップ装置１を操作して、清掃体１０で床等を清掃することになる。また、床等を清掃することにより清掃体１０が汚れた場合には、清掃体１０を水洗いしてから、前述と同様にスライド部材３を後退位置へ移動させて、清掃体１０に含まれる余分な水分を絞って、清掃体１０を綺麗にすることになる。
【００３２】
ところで、このモップ装置１では、清掃体１０を絞るため、スライド部材３を後退位置へ移動させると、スライド部材３の内周面の内面側嵌合部３ｅが、中間スリーブ２３の外面側嵌合部２３ｃに凹凸嵌合し、スライド部材３の回転力が中間スリーブ２３に伝達されることになり、また柄２に固定した歯止め部材２２の爪部２２ａが中間スリーブ２３の内周面の内歯車２３ｂに係合して、柄２とスライド部材３の相対的な一方向への相対回転は許容されるが、逆方向への相対回転が規制されるので、柄２とスライド部材３とを一方向へ回転操作して清掃体１０を柄２に巻き付けることができ、絞り操作している途中で手を放しても、歯止め部材２２の爪部２２ａが内歯車２３ｂに係合して、逆方向への相対回転が規制されることになる。このため、把持し易い姿勢にスライド部材３及び／又は柄２を持ち直して、清掃体１０を順次絞ることが可能となり、容易に且つ円滑に清掃体１０を絞り操作できることになる。
【００３３】
また、図５に示すように、間スリーブ２３の内周面に内歯車２３ｂが形成され、中間スリーブ２３の内側に内歯車２３ｂに係合する歯止め部材２２が設けられ、内歯車２３ｂ及び歯止め部材２２が外部に露出しないので、内歯車２３ｂや歯止め部材２２に手指が接触して、手指が傷つけられることを確実に防止できる。更に、図１（ｂ）に示すように、スライド部材３を柄２の先端側へ移動させた状態で、中間スリーブ２３に形成される外面側嵌合部２３ｃは外部に露出されるが、この外面側嵌合部２３ｃは、内面側嵌合部３ｅとの凹凸嵌合により回転力を伝達できるものであれば、任意の構成のものを採用でき、ラチェットホイールのように鋭角状の爪部を形成する必要がなく、外面側嵌合部２３ｃのスプライン凸条として、図７（ａ）に示すスプライン凸条２３ｄのように、外周縁の頂部を丸めた三角形状の横断面や、図７（ｂ）に示すスプライン凸条２３ｄＡのように、外周縁の両端角部を丸めた台形状の横断面や、図７（ｃ）に示すスプライン凸条２３ｄＢのように、半円状の横断面に形成できるので、万一手で保持した場合でも、手指を傷つけることもない。特に、図２（ｂ）に示す世に、清掃体１０を絞った後、図１（ｂ）に示すように、スライド部材３を柄２の先端側へ移動させるときに、柄２に巻き付いた清掃体１０により、外面側嵌合部２３ｃと内面側嵌合部３ｅとが強く係合して、スライド部材３の先端側への操作抵抗が大きくなり、勢い余って手指が外面側嵌合部２３ｃの軸方向の端部に接触することも考えられるが、外面側嵌合部２３ｃの軸方向の端部にテーパ面２３ｅを形成しているので、そのような場合でも手指を傷つけてしまうことを防止できる。
【００３４】
以上、本考案の実施形態について説明したが、本考案は前述した実施形態に何ら限定されるものではなく、本考案の要旨を逸脱しない範囲においてその構成を変更し得ることは勿論である。
【符号の説明】
【００３５】
１：モップ装置
２：柄
３：スライド部材
３ａ：可動グリップ部
３ｂ：保持筒部
３ｃ：抜け止め部
３ｄ：移動規制部
３ｅ：内面側嵌合部
３ｆ：内面側保持部
４：基端閉塞部材
４ａ：引っ掛け孔
５：基端グリップ
６：固定グリップ
６ａ：滑り止め部
６ｂ：外面側保持部
１０：清掃体
１１：紐状部材
１２：結束線
１３：結束線
１４：雄ネジ部材
１４ａ：雄ネジ
１５：先端部材
１５ａ：筒部
１５ｂ：鍔部
１５ｃ：取付筒部
１６：保持部材
１６ａ：連結ピン
１７：カバー部材
２０：ラチェット手段
２１：固定リング
２２：歯止め部材
２２ａ：爪部
２３：中間スリーブ
２３ａ：規制部
２３ｂ：内歯車
２３ｃ：外面側嵌合部
２３ｄ：スプライン凸条
２３ｄＡ：スプライン凸条
２３ｄＢ：スプライン凸条
２３ｅ：テーパ面
２４：リベット
２５：リベット
【図１】
0003190298.tif 000003
【図２】
0003190298.tif 000004
【図３】
0003190298.tif 000005
【図４】
0003190298.tif 000006
【図５】
0003190298.tif 000007
【図６】
0003190298.tif 000008
【図７】
0003190298.tif 000009